(57)【要約】【課題】照明部への配線にともなう不都合を解消し、また、使い勝手のよい場所に収納棚を自在に取り付ける。【解決手段】吊戸棚（２）の下面（３）の後側にカバー体（４）が配設され、このカバー体の内部に照明部（５）が設けられ、この照明部より後側のカバー体の下面に長さ方向にわたる溝（７）が形成され、収納棚（９）がその溝を通じてカバー体に係止されて吊戸棚の下方に吊り下げられる。【選択図】          図１
2004166814.tif 000002
【特許請求の範囲】
【請求項１】
吊戸棚の下面後側にカバー体が配設され、このカバー体の内部に照明部が設けられ、この照明部より後側のカバー体の下面に長さ方向にわたる溝が形成され、収納棚がその溝を通じてカバー体に係止されて吊戸棚の下方に吊り下げられることを特徴とする吊戸棚。
【請求項２】
収納棚は、左右一対のアームを備え、アーム上端部に、カバー体の後側若しくは前側に向かう引掛け部を備えている請求項１記載の吊戸棚。
【発明の詳細な説明】
【０００１】
【発明の属する技術分野】
この出願の発明は、吊戸棚に関するものである。さらに詳しくは、この出願の発明は、照明部への配線にともなう不都合を解消し、また、使い勝手のよい場所に収納棚を自在に取り付けることのできる吊戸棚に関するものである。
【０００２】
【従来の技術】
キッチンキャビネット、洗面台等に設けられる吊戸棚には、下面に照明器具が設けられたものが知られている。照明器具を点灯することにより手元を明るく照らし出し、作業が円滑に行われるように配慮されている。その一つとして、吊戸棚の下面前側に照明器具が設けられた吊戸棚がこの出願の出願人により提案されている（たとえば、特許文献１参照）。
【０００３】
【特許文献１】
特許第３１８００３５号公報（第１〜３図）
【０００４】
【発明が解決しようとする課題】
しかしながら、施工性や作業性を考慮すると、上記特許文献に記載された吊戸棚には改善すべき点が見出された。その一点目は照明器具への配線に関する。上記特許文献に記載された吊戸棚では、家屋の内壁面から引き出された配線を照明器具に接続するが、その際の配線は、吊戸棚の下面を這わせて行うことができるものの、水濡れが懸念される。そこで、配線を吊戸棚の地板上面に這わせることが考えられるが、このようにすると、吊戸棚の収納スペースが縮小されるという問題が生じる。以上から、照明器具は、吊戸棚の下面後側に配設されるのが好適であると考えられる。
【０００５】
改善すべき点の二点目は、吊戸棚の下方に取り付ける収納棚に関する。吊戸棚の下方に収納棚を取り付ける場合、作業性を考慮すると、収納棚は吊戸棚の後側に位置するのが好ましい。これは、収納棚が吊戸棚の前側に位置すると、腕が当たる等して使い勝手が悪くなるからである。そうすると、上述の照明器具の配設位置を考慮すると、照明器具と収納棚は同一位置に配設することは物理的に不可能であるので、両者は並置するしかない。しかしながら、そのような照明器具と収納棚の配置は、両者の配置位置を制限することとなり、収納棚が必ずしも使い勝手のよい場所に取り付けられるとは限らなくなる。
【０００６】
この出願の発明は、このような事情に鑑みてなされたものであり、照明部への配線にともなう不都合を解消し、また、使い勝手のよい場所に収納棚を自在に取り付けることのできる吊戸棚を提供することを解決すべき課題としている。
【０００７】
【課題を解決するための手段】
この出願の発明は、以上の課題を解決するものとして、吊戸棚の下面後側にカバー体が配設され、このカバー体の内部に照明部が設けられ、この照明部より後側のカバー体の下面に長さ方向にわたる溝が形成され、収納棚がその溝を通じてカバー体に係止されて吊戸棚の下方に吊り下げられることを特徴とする吊戸棚（請求項１）を提供する。
【０００８】
また、この出願の発明は、収納棚は、左右一対のアームを備え、アーム上端部に、カバー体の後側若しくは前側に向かう引掛け部を備えていること（請求項２）をそれぞれ一態様として提供する。
【０００９】
以下、図面に沿ってこの出願の発明の吊戸棚についてさらに詳しく説明する。
【００１０】
【発明の実施の形態】
図１、図２は、それぞれ、この出願の発明の吊戸棚の一実施形態を示した斜視図、側面図である。図１及び図２は、キッチンキャビネット（１）に設けられる吊戸棚（２）を示している。もちろん、この出願の発明の吊戸棚は、キッチンキャビネット（１）の吊戸棚（２）に限定されることはなく、洗面台等の他のキャビネットとの組合せが可能なものである。
【００１１】
この出願の発明の吊戸棚では、図１及び図２に示したように、吊戸棚（２）の下面（３）の後側にカバー体（４）が配設され、このカバー体（４）の内部に照明器具等の照明部（５）が設けられる。また、この出願の発明の吊戸棚では、照明部（５）より後側のカバー体（４）の下面（６）に長さ方向にわたる溝（７）が形成されている。
【００１２】
図３は、カバー体（４）を拡大して示した要部斜視図であるが、カバー体（４）の形状には特に制限はなく、図３に示したような前面側が湾曲面状のものであっても、断面が矩形等の形状のものであっても構わない。また、カバー体（４）は、図１に示したように、左右両端部にキャップ（８）を取り付けることができ、塵や虫除け、意匠性の向上を図ることができる。
【００１３】
そして、この出願の発明の吊戸棚では、以上のカバー体（４）の下面（６）に形成された溝（７）を通じて収納棚（９）が、図１〜３に示したように、カバー体（４）に係止され、吊戸棚（２）の下方に吊り下げられる。具体的には、収納棚（９）は、左右一対のアーム（１０）を備え、アーム（１０）の上端部に、図２に示したように、カバー体（４）の後側若しくは前側に向かう引掛け部（１１）を備えることができる。このアーム（１０）の上端部を引掛け部（１１）とともに溝（７）に挿入し、引掛け部（１１）をカバー体（４）に係止することで収納棚（９）は、吊戸棚（２）の下方に吊り下げられる。
【００１４】
たとえば以上の構成を有するこの出願の発明の吊戸棚では、吊戸棚（２）の下面（３）の後側にカバー体（４）が配設され、このカバー体（４）の内部に照明器具等の照明部（５）が設けられるため、家屋の内壁面やキッチンキャビネット（１）の後部等から引き出される配線は、カバー体（４）の中に通すことができる。したがって、配線の水濡れが防止され、また、吊戸棚（２）の収納スペース縮小という問題が解決される。しかも、照明部（５）は任意の位置に配置することができ、また、単一ではなく、カバー体（４）の長さ範囲内に複数設けることもできる。たとえばダウンライトの追加が可能である。
【００１５】
また、この出願の発明の吊戸棚では、照明部（５）より後側のカバー体（４）の下面（６）に長さ方向にわたる溝（７）が形成され、溝（７）を通じて収納棚（９）が、カバー体（４）に係止され、吊戸棚（２）の下方に吊り下げられるため、収納棚（９）を吊戸棚（２）の後側に配置することができ、しかもその位置は照明部（５）の位置の制約を受けない。使い勝手のよい任意の位置に収納棚（９）を取り付けることができる。また、収納棚（９）は、カバー体（４）に形成された溝（７）に沿って左右に移動させることも可能であり、カバー体（４）に複数個の収納棚（９）を取り付けることも可能である。複数個の収納棚（９）を取り付ける場合には、照明部（５）を中心にして左右両側に収納棚（９）を配置することができる。
【００１６】
さらに、この出願の発明の吊戸棚では、カバー体（４）は、施行現場において吊戸棚（２）の横幅に応じて長さを任意に調整することができ、施工性が良好でもある。
【００１７】
もちろん、この出願の発明は、以上の実施形態によって限定されるものではない。吊戸棚の形状、大きさ、構造等の細部については様々な態様が可能であることはいうまでもない。
【００１８】
【発明の効果】
以上詳しく説明したとおり、この出願の発明によって、照明部への配線にともなう水濡れや収納スペースの縮小という不都合が解消され、また、使い勝手のよい場所に収納棚を自在に取り付けることができる。
【図面の簡単な説明】
【図１】この出願の発明の吊戸棚の一実施形態を示した斜視図である。
【図２】図１に示した吊戸棚の側面図である。
【図３】カバー体を拡大して示した要部斜視図である。
【符号の説明】
１    キッチンキャビネット
２    吊戸棚
３    下面
４    カバー体
５    照明部
６    下面
７    溝
８    キャップ
９    収納棚
１０    アーム
１１    引掛け部
【図１】
2004166814.tif 000003
【図２】
2004166814.tif 000004
【図３】
2004166814.tif 000005